(57)【要約】【課題】回転テーブル上に配置された粉砕ローラが、粉砕ローラよりも回転テーブルの外周側となる位置を支点として起伏する竪型粉砕機において、粉砕ローラの外周面で均一に被粉砕物を粉砕して、粉砕ローラに対する負担を軽減することが可能な竪型粉砕機を提供する。【解決手段】回転テーブル１４と、前記回転テーブル１４の上面に転接する粉砕ローラ２２と、を有し、前記粉砕ローラ２２は、前記粉砕ローラ２２よりも前記回転テーブル１４の外周側となる位置を支点として起伏可能とされ、前記回転テーブル１４と前記粉砕ローラ２２との間に被粉砕物を噛み込んで粉砕する竪型粉砕機１０であって、前記被粉砕物の粉砕時において、前記粉砕ローラ２２と前記回転テーブル１４との間の隙間が、前記回転テーブル１４の中心側から外周側に向かう方向で一定となるようにしてなることを特徴とする。【選択図】図５
2014046268.tif 000002
【特許請求の範囲】
【請求項１】
回転テーブルと、
前記回転テーブルの上面に転接する粉砕ローラと、を有し、
前記粉砕ローラは、前記粉砕ローラよりも前記回転テーブルの外周側となる位置を支点として起伏可能とされ、前記回転テーブルと前記粉砕ローラとの間に被粉砕物を噛み込んで粉砕する竪型粉砕機であって、
前記被粉砕物の粉砕時において、
前記粉砕ローラと前記回転テーブルとの間の隙間が、前記回転テーブルの中心側から外周側に向かう方向で一定となるようにしてなることを特徴とする竪型粉砕機。
【請求項２】
前記粉砕ローラは、
前記回転テーブルを押圧する方向に付勢されるとともに、前記被粉砕物を噛み込む前の初期位置において、
前記粉砕ローラと前記回転テーブルとの間の隙間が、前記回転テーブルの中心側から外周側に向かうにつれて拡がっていることを特徴とする請求項１に記載の竪型粉砕機。
【請求項３】
前記粉砕ローラの外周面の前記回転テーブルと対向する部分の傾斜角度が、３度から５度の範囲であることを特徴とする請求項２に記載の竪型粉砕機。
【請求項４】
前記粉砕ローラの外周面には、
前記外周面から突出した稜線部が配置され、
前記稜線部は、
前記回転テーブルの中心側から外周側に向かって前記粉砕ローラの回転方向の反対方向に傾斜して延びるとともに、その途中で前記粉砕ローラの回転方向に折れ曲がって延びた形状を有することを特徴とする請求項１乃至３のいずれか１項に記載の竪型粉砕機。
【請求項５】
前記稜線部は、
前記稜線部の折れ曲がった位置から前記回転テーブルの中心側に向けて延びる内側稜線部と、
前記稜線部の折れ曲がった位置から前記回転テーブルの外周側に向けて延びる外側稜線部と、を有し、
前記外周面において、前記粉砕ローラの前記回転テーブルの中心側の端部と、前記粉砕ローラの前記回転テーブルの外周側の端部と、を最短で結ぶとともに前記外側稜線部の前記回転テーブルの外周側の端部を通過する直線と、前記外側稜線部との間のなす角が４０度であり、前記直線と前記内側稜線部との間のなす角が１０度であることを特徴とする請求項４に記載の竪型粉砕機。
【請求項６】
前記回転テーブルの上面の前記粉砕ローラと対向する位置には、
溝部が配置され、
前記溝部は、
前記回転テーブルの中心側から外周側に向かって前記回転テーブルの回転方向に傾斜して延びるとともに、その途中で前記回転テーブルの回転方向に折れ曲がって延びた形状を有することを特徴とする請求項１乃至５のいずれか１項に記載の竪型粉砕機。
【請求項７】
前記粉砕ローラは、
前記回転テーブルの中心側に向かうにつれて縮径する円錐台形状を有することを特徴とする請求項１乃至６のいずれか１項に記載の竪型粉砕機。
【発明の詳細な説明】
【技術分野】
【０００１】
本発明は、竪型粉砕機に関し、特に、竪型粉砕機を構成する粉砕ローラに対する負担を軽減して被粉砕物の粉砕を確実に行う技術に関する。
【背景技術】
【０００２】
従来から、石炭やオイルコークス等を粉砕する粉砕機として竪型粉砕機（竪型ミル、或いは竪型ローラミル）と呼ばれる粉砕機が広く用いられている。
近年では、特に、竪型粉砕機によって原料を微粉砕するケースも増えてきており、竪型粉砕機内に分級機構を備えた形式の竪型粉砕機が増加している。竪型粉砕機は、回転テーブルと、回転テーブルの上面の外周側に押し付けられ、回転テーブルの回転に伴って回転する粉砕ローラと、回転テーブル及び粉砕ローラを収容するケーシングと、回転テーブルの下部からケーシング内の上部への気流を発生する気流発生手段と、ケーシング内上部に配置された分級機構と、を有する（特許文献１参照）。
【０００３】
被粉砕物は回転テーブルの上面の中央部に投入され、回転テーブルの回転に伴う遠心力により回転テーブルの外周側に移動する。そして、被粉砕物は回転テーブルと粉砕ローラとの間に噛み込まれて粉砕され、粉砕物が回転テーブルの外周から排出される。粉砕物は、回転テーブルの下部から吹き込んだ気流によって上昇・搬送され、粉砕物のうち分級機構により篩い分けられた微粉のみを、ケーシング外に取り出すしくみとなっている。
【先行技術文献】
【特許文献】
【０００４】
【特許文献１】特開２００８−１７８８３７号公報
【発明の概要】
【発明が解決しようとする課題】
【０００５】
ところで、粉砕ローラは、粉砕ローラよりも回転テーブルの外周側となる位置を支点として起伏する構成を有するとともに、粉砕ローラの外周面を回転テーブルの上面に押し付ける方向に付勢されている。そして、被粉砕物を粉砕する前となる粉砕ローラの初期位置において、粉砕ローラの外周面が回転テーブルの上面と面接触している。
【０００６】
これにより、回転テーブルと粉砕ローラとの間に被粉砕物が噛み込まれると、被粉砕物が粉砕されるとともに、粉砕ローラが被粉砕物を土台として持ち上げられつつ回動し、回転テーブルと粉砕ローラとの間には隙間が形成される。
【０００７】
このとき、粉砕ローラの回転テーブルの中心側（粉砕ローラの自由端側）の変位量は、粉砕ローラの回転テーブルの外周側（粉砕ローラの固定端側）の変位量よりも大きくなる。このため、粉砕ローラの外周面の回転テーブルに対向する部分は回転テーブルの外周側に向けて傾斜し、回転テーブルと粉砕ローラとの間の隙間は、回転テーブルの外周側に向かうにつれて小さくなる。これにより、粉砕ローラの外周面の回転テーブルの外周側に偏った位置で被粉砕物が集中的に粉砕されるとともに、その部分の劣化が促進されることになり、粉砕ローラの寿命が低下するという問題があった。
【０００８】
また、被粉砕物は、粉砕ローラによる粉砕中であっても遠心力により回転テーブルの外周側に移動する。このため、粉砕が未だ不十分な被粉砕物が粉砕ローラから漏れ出るため、粉砕効率が低下するという問題があった。
【０００９】
そこで本発明の竪型粉砕機の第１の目的は、回転テーブル上に配置された粉砕ローラが、粉砕ローラよりも回転テーブルの外周側となる位置を支点として起伏する竪型粉砕機において、粉砕ローラの外周面で均一に被粉砕物を粉砕して、粉砕ローラに対する負担を軽減することにある。
【００１０】
また本発明の竪型粉砕機の第２の目的は、被粉砕物が粉砕途中で回転テーブルと粉砕ローラとの間からこぼれ出ることを低減して粉砕効率を高めることにある。
【課題を解決するための手段】
【００１１】
上記目的を達成するため、本発明の竪型粉砕機は、回転テーブルと、前記回転テーブルの上面に転接する粉砕ローラと、を有し、前記粉砕ローラは、前記粉砕ローラよりも前記回転テーブルの外周側となる位置を支点として起伏可能とされ、前記回転テーブルと前記粉砕ローラとの間に被粉砕物を噛み込んで粉砕する竪型粉砕機であって、前記被粉砕物の粉砕時において、前記粉砕ローラと前記回転テーブルとの間の隙間が、前記回転テーブルの中心側から外周側に向かう方向で一定となるようにしてなることを特徴とする。
【００１２】
上記構成により、被粉砕物が粉砕ローラの特定の位置で集中的に粉砕されることを低減して、粉砕ローラの外周面全体で被粉砕物を粉砕して粉砕ローラに対する負担を軽減することができる。
【００１３】
本発明において、前記粉砕ローラは、前記回転テーブルを押圧する方向に付勢されるとともに、前記被粉砕物を噛み込む前の初期位置において、前記粉砕ローラと前記回転テーブルとの間の隙間が、前記回転テーブルの中心側から外周側に向かうにつれて拡がっていることを特徴とする。
【００１４】
上記構成により、回転テーブルと粉砕ローラとの間に被粉砕物が噛み込まれると、付勢力若しくは粉砕ローラの自重により被粉砕物が粉砕されるとともに粉砕ローラが被粉砕物を土台として持ち上がりつつ回動する。このとき、粉砕ローラの回動による粉砕ローラの外周面の回転テーブルと対向する部分（粉砕面）の変位量は、粉砕面の回転テーブルの中心側のほうが、粉砕面の回転テーブルの外周側よりも大きくなる。一方、被粉砕物を粉砕する前の初期位置において、粉砕面が回転テーブルの中心側に傾斜している。このため、粉砕ローラの回動により粉砕面の傾斜が緩和され、その部分を水平にすることができる。よって、簡易な構成で粉砕ローラに対する負担を軽減することができる。
【００１５】
本発明において、前記粉砕ローラの外周面の前記回転テーブルと対向する部分の傾斜角度が、３度から５度の範囲であることを特徴とする。
上記構成により、粉砕ローラの外周面の粉砕面全体で被粉砕物を粉砕するための最適化を図ることができる。
【００１６】
本発明において、前記粉砕ローラの外周面には、前記外周面から突出した稜線部が配置され、前記稜線部は、前記回転テーブルの中心側から外周側に向かって前記粉砕ローラの回転方向の反対方向に傾斜して延びるとともに、その途中で前記粉砕ローラの回転方向に折れ曲がって延びた形状を有することを特徴とする。
【００１７】
上記構成により、粉砕ローラの外周面上の稜線部の折れ曲がった部分に囲まれた領域で被粉砕物を保持することができるので、被粉砕物が粉砕途中で回転テーブルと粉砕ローラとの間からこぼれ出ることを低減して、被粉砕物の粉砕効率を高めることができる。
【００１８】
本発明において、前記稜線部は、前記稜線部の折れ曲がった位置から前記回転テーブルの中心側に向けて延びる内側稜線部と、前記稜線部の折れ曲がった位置から前記回転テーブルの外周側に向けて延びる外側稜線部と、を有し、前記外周面において、前記粉砕ローラの前記回転テーブルの中心側の端部と、前記粉砕ローラの前記回転テーブルの外周側の端部と、を最短で結ぶとともに前記外側稜線部の前記回転テーブルの外周側の端部を通過する直線と、前記外側稜線部との間のなす角が４０度であり、前記直線と前記内側稜線部との間のなす角が１０度であることを特徴とする。
上記構成により、内側稜線部及び外側稜線部に囲まれた部分の被粉砕物を保持する効果の最適化を図り、被粉砕物の粉砕効率の最適化を図ることができる。
【００１９】
本発明において、前記回転テーブルの上面の前記粉砕ローラと対向する位置には、溝部が配置され、前記溝部は、前記回転テーブルの中心側から外周側に向かって前記回転テーブルの回転方向に傾斜して延びるとともに、その途中で前記回転テーブルの回転方向に折れ曲がって延びた形状を有することを特徴とする。
【００２０】
上記構成により、溝部の折れ曲がった部分から回転テーブルの中心側に向かって延びた部分が、粉砕ローラが粉砕した被粉砕物を回転テーブルの中心側に送り込む。また、溝部の折れ曲がった部分から回転テーブルの外周側に向かって延びた部分が、被粉砕物を保持する。これにより、回転テーブル上において被粉砕物を粉砕ローラにより粉砕される位置に確実にとどめ、被粉砕物の粉砕効率を高めることができる。
【００２１】
本発明において、前記粉砕ローラは、前記回転テーブルの中心側に向かうにつれて縮径する円錐台形状を有することを特徴とする。
上記構成により、被粉砕物のすりつぶし効果を高めた粉砕ローラにおいても、被粉砕物の粉砕時に粉砕ローラの粉砕面を水平にすることができ、粉砕ローラにおける被粉砕物の粉砕箇所の集中を低減して、粉砕ローラに対する負担を軽減することができる。
【発明の効果】
【００２２】
本発明に係る竪型粉砕機によれば、回転テーブル上に配置された粉砕ローラが、粉砕ローラよりも回転テーブルの外周側となる位置を支点として起伏する竪型粉砕機において、粉砕ローラの外周面で均一に被粉砕物を粉砕して、粉砕ローラに対する負担を軽減することができ、また、被粉砕物が粉砕途中で回転テーブルと粉砕ローラとの間からこぼれ出ることを低減して粉砕効率を高めることができる。
【図面の簡単な説明】
【００２３】
【図１】本実施形態の竪型粉砕機の概略図である。
【図２】本実施形態の回転テーブル及び粉砕ローラの平面図、及び粉砕ローラの部分拡大図である。
【図３】図２のＡ−Ａ線断面図である。
【図４】本実施形態の粉砕ローラの初期位置の配置図である。
【図５】本実施形態の粉砕ローラの粉砕時における配置図である。
【発明を実施するための形態】
【００２４】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００２５】
図１に本実施形態の竪型粉砕機の概略図を示し、図２に、本実施形態の回転テーブル及び粉砕ローラの平面図、及び粉砕ローラの部分拡大図を示す。本実施形態の竪型粉砕機１０は、竪型粉砕機１０の外観を形成するケーシング１２を有している。このケーシング１２内において、回転テーブル１４と、回転テーブル１４の上面１６に（被粉砕物を介して）転接して回転テーブル１４の回転により回転する粉砕ローラ２２と、粉砕ローラ２２を回転自在に支持するアーム（上部アーム３０、下部アーム３２）と、が配置されている。
【００２６】
詳細は後述するが、本実施形態の竪型粉砕機１０は、これを構成する粉砕ローラ２２が、粉砕ローラ２２よりも回転テーブル１４の外周側となる位置を支点として起伏可能とされ、回転テーブル１４と粉砕ローラ２２との間に被粉砕物を噛み込んで粉砕するものである。
【００２７】
そして、被粉砕物の粉砕時において、粉砕ローラ２２と回転テーブル１４との間の隙間が、回転テーブル１４の中心側から外周側に向かう方向で一定となるようにしてなることが特徴となっている。これを実現するため、粉砕ローラ２２は、回転テーブル２２を押圧する方向に付勢されるとともに、被粉砕物を噛み込む前の初期位置において、粉砕ローラ２２と回転テーブル１４との間の隙間が、回転テーブル１４の中心側から外周側に向かうにつれて拡がっていることが特徴となっている。すなわち、粉砕ローラ２２の外周面２４の回転テーブル１４と対向する部分である粉砕面２６が、回転テーブル１４の中心側に向けて傾斜していることが特徴となっている（図４参照）。ここで、外周面２４の粉砕面２６とは、外周面２４のうち、回転テーブル１４の回転に伴って上面１６に対向することになる部分のことを指し、粉砕ローラ２２が回転してもその位置は不変である。
【００２８】
上記構成により、被粉砕物が粉砕ローラ２２の特定の位置で集中的に粉砕されることを低減して、粉砕ローラ２２の外周面２６全体で被粉砕物を粉砕して粉砕ローラ２２に対する負担を軽減することができる。
回転テーブル１４は、円形形状を有するともに水平に配置され、電動機１８及び減速機２０に接続され一定の回転数で回転するものである。
【００２９】
粉砕ローラ２２は、回転テーブル１４の外周方向に延びた回転軸２８を有している（図４参照）。回転軸２８は、その先端側がアーム（上部アーム３０）により回転自在に支持されている。アームは、ケーシング１２内において平面視で回転テーブル１４の外周となる位置に配置されている。また、アームは、その高さ方向の中央となる位置において、ピン結合部３４によりケーシング１２下部にピン結合されている。これにより、アームのうち、ピン結合部３４より上方となる部分が上部アーム３０（回転軸２８に対する軸受け部）となり、下方となる部分が下部アーム３２となっている。ピン結合部３４の回転軸は水平に向けられている。よって、上部アーム３０及び下部アーム３２は、ピン結合部３４を中心として上下方向に回動可能となっている。
【００３０】
油圧シリンダ３６は、その長手方向の一方がケーシング１２下部にピン結合され、長手方向の他方が下部アーム３２にピン結合されている。そして、油圧シリンダ３６は、その長手方向の長さが収縮する方向に作動している。これにより、下部アーム３２及び上部アーム３０がピン結合部３４を中心として回動し、上部アーム３０が粉砕ローラ２２を回転テーブル１４の上面１６に押圧するように付勢することになる。したがって、粉砕ローラ２２は、回転テーブル１４と粉砕ローラ２２との間に噛み込まれた（挟み込まれた）被粉砕物（不図示）を、付勢に伴う力（及び粉砕ローラ２２の自重で）で粉砕することができる。
【００３１】
回転テーブル１４の上面１６に対向するケーシング１２の中央上部には、セパレータ３８と、原料投入口４２が設けられている。また、セパレータ３８の中心軸を上下に貫通するように原料投入シュート４４が配置され、原料投入シュート４４を介して原料投入口４２から回転テーブル１４の上面１６に被粉砕物（原料）を投入できるように構成されている。ここで、被粉砕物としては、石炭、オイルコークス、石灰石、スラグ、クリンカ、セメント原料、化学品等が適用される。
【００３２】
また、セパレータ３８は、セパレータ３８の中心軸を中心として上方に拡径する逆円錐台状に一定間隔の隙間を空けて並べられた複数枚の羽根４０を備え、駆動装置（不図示）により羽根４０が自在に回転できる構成となっている。
【００３３】
原料投入シュート４４から投入された被粉砕物は、回転テーブル１４の上面１６を渦巻き状の軌跡を描きながら回転テーブル１４の上面１６の外周側に移動して、回転テーブル１４の上面１６と粉砕ローラ２２の粉砕面２６に噛み込まれて（挟まれて）粉砕される。そして、被粉砕物が粉砕されて得られる粉砕物の一部は、回転テーブル１４の上面１６の外縁部に周設されたダムリング４６を乗り越え、回転テーブル１４の外周とケーシング１２との隙間である環状通路４８へと向かう。ここで、ケーシング１２内の回転テーブル１４の下方には、ガスを導入するためのガス導入口５０が設けられており、さらにケーシング１２の上部には、ガスとともに粉砕物を取り出すための上部取出口５２が設けられている。
【００３４】
竪型粉砕機１０の運転中において、ガス導入口５０よりガス（空気でもよい）を導入することにより、ケーシング１２内において、回転テーブル１４下方からセパレータ３８を通過して上部取出口５２へと流れるガスの気流が生じている。被粉砕物が回転テーブル１４と粉砕ローラ２２により粉砕されて得られる粉砕物であて、ダムリング４６を乗り越えて環状通路４８に到達したものは、ガスにより吹き上げられてケーシング１２内を上昇し、セパレータ３８に達する。
【００３５】
ここで、径が大きく重量の大きな粉砕物は、セパレータ３８の羽根４０を通過することができず、セパレータ３８の下方に落下して再度粉砕ローラ２２に噛み込まれて粉砕される。一方、径の小さな粉砕物は、隙間を空けて並べられた羽根４０の間を抜けてケーシング１２の外部に取り出される。また、粉砕ローラ２２に噛み込まれず、そのまま環状通路４８に落下した一部の極大な粒径の粉砕物は、環状通路４８より回転テーブル１４下方に落下して下部取出口５４よりケーシング１２の外に取り出される。
【００３６】
図２に示すように、回転テーブル１４の上面１６であって、回転テーブル１４の回転により粉砕ローラ２２の粉砕面２６と対向することになる位置には、溝部５６が配置されている。溝部５６は、回転テーブル１４の中心Ｏを中心とし、回転テーブル１４の一定の半径以上となる位置から外周側に向けて放射状に広がるように複数配置されている。また、溝部５６は、回転テーブル１４の中心側から外周側に向かって回転テーブル１４の回転方向（図２では時計回り）に傾斜して延びるとともに、その途中で回転テーブル１４の回転方向に折れ曲がって延びた形状を有している。
【００３７】
すなわち、図２に示すように、回転テーブル１４の中心Ｏと、溝部５６の長手方向の中心Ｏ側の端部とを通過する線５８を考える。すると、溝部５６は、線５８と交わる位置を基準として回転テーブル１４の回転方向側に傾斜して回転テーブル１４の外周側に延びるように配置されている。ここで、溝部５６は、溝部５６の折れ曲がった部分から回転テーブル１４の中心側に向かって延びた内側溝部６０と、溝部５６の折れ曲がった部分から回転テーブル１４の外周側に向かって延びた外側溝部６２と、を有する。
【００３８】
内側溝部６０において、内側溝部６０の開口部のエッジのうち、回転テーブル１４の回転方向とは反対側のエッジが被粉砕物を噛み込む。これにより、被粉砕物を回転テーブル１４と粉砕ローラ２２との間に噛み込む効果が高まり、被粉砕物の粉砕を促進させることができる。
外側溝部６２において、外側溝部６２の開口部のエッジのうち、回転テーブル１４の外周側のエッジが被粉砕物を噛み込んで保持することになる。これにより、被粉砕物が粉砕途中で回転テーブル１４と粉砕ローラ２２との間からこぼれ出ることを低減することができる。
【００３９】
したがって、溝部５６のうち、内側溝部６０が、粉砕ローラ２２が粉砕途中の被粉砕物を回転テーブル１４の中心側に送り込み、外側溝部６２が、被粉砕物を保持することにより、回転テーブル１４上において被粉砕物を粉砕ローラ２２により粉砕される位置に確実にとどめ、被粉砕物の粉砕効率を高めることができる。なお、溝部５６の底面は、平面形状でもよいし、曲面形状でもよい。
【００４０】
図２に示すように、粉砕ローラ２２は、その径が回転テーブル１４の中心側に向かうにつれて縮径する円錐台形状を有している。そして、粉砕ローラ２２は、回転テーブル１４の上面１６の外周側において回転テーブル１４の中心Ｏを中心として４回対称となるように４つ配置（その他、粉砕ローラ２２の個数及び配置方法は任意に設定できる）されている。また、粉砕ローラ２２は、その回転軸２８の軸方向（長手方向）が平面視で回転テーブル１４の中心Ｏに向けられている。
【００４１】
図２に示すように、粉砕ローラ２２の外周面２４には稜線部６４が配置されている。稜線部６４は、図３（図２のＡ−Ａ線断面図）に示すように、外周面２４から突出するように配置され、外周面２４を周回するように一定の間隔で複数配置されている。図２、または、図２の右上に描かれた部分拡大図に示すように、稜線部６４は、回転テーブル１４の中心側から回転テーブル１４の外周側に向かって粉砕ローラ２２の回転方向の反対方向に傾斜して延びるとともに、その途中で粉砕ローラ２２の回転方向に折れ曲がって延びた形状を有している。すなわち、稜線部６４は、稜線部６４の折れ曲がった位置から回転テーブル１４の中心側に向けて延びる内側稜線部６６と、稜線部６４の折れ曲がった位置から回転テーブル１４の外周側に向けて延びる外側稜線部６８と、を有している。
【００４２】
このような構成とすることにより、図２の部分拡大図において破線７０で囲まれた領域、すなわち外周面２４上の稜線部６４の折れ曲がった部分に囲まれた領域（内側稜線部６６と外側稜線部６８の側壁に囲まれた領域）で被粉砕物を保持することができるので、被粉砕物が粉砕途中で回転テーブル１４と粉砕ローラ２２との間からこぼれ出ることを低減して、被粉砕物の粉砕効率を高めることができる。
【００４３】
粉砕ローラ２２の外周面２４において、粉砕ローラ２２の回転テーブル１４の中心側の端部と、粉砕ローラ２２の回転テーブル１４の外周側の端部と、を最短で結ぶとともに外側稜線部６８の回転テーブル１４の外周側の端部を通過する直線７２を考える。すると、直線７２と外側稜線部６８の長手方向との間のなす角が４０度であり、直線７２と内側稜線部６６の長手方向との間のなす角が１０度であることが好適である。このように設計することにより、内側稜線部６６及び外側稜線部６８に囲まれた部分の被粉砕物を保持する効果の最適化を図り、被粉砕物の粉砕効率の最適化を図ることができる。
【００４４】
図４に、本実施形態の粉砕ローラの初期位置における配置図を示す。図４の配置図（回転テーブル１４の断面図）に示すように、粉砕ローラ２２は、被粉砕物が供給される前の初期位置において、その外周面２４の粉砕面２６が回転テーブル１４の中心側に向かって傾斜（傾斜角度は３°〜５°）しており、図４においては、粉砕面２６の回転テーブル１４の中心側の端部のみが回転テーブル１４の上面１６に接触し、或いは回転テーブル１４の上面１６を押圧している。そして、粉砕ローラ２２の粉砕面２６と回転テーブル１４との間には隙間が形成されるとともに、その隙間の高さが回転テーブルの外周側に向かうにつれて大きくなっている。
【００４５】
上部アーム３０は、上述のように粉砕ローラ２２が上下方向に変位するように回動するものである。しかし、上部アーム３０（下部アーム３２でもよい）にストッパ（不図示）を設け、上部アーム３０を、粉砕ローラ２２の外周面２４の粉砕面２６が回転テーブル１４の上面１６に接触する位置より低くなる位置にまで回動しないようにすることもできる。これにより、粉砕ローラ２２が回転テーブル１４に直接押圧して粉砕ローラ２２及び回転テーブル１４の互いの接触部分が磨耗することを回避することができる。
【００４６】
図５に、本実施形態の粉砕ローラの粉砕時における配置図を示す。回転テーブル１４に被粉砕物（不図示）が導入された場合、被粉砕物は、回転テーブル１４と粉砕ローラ２２との間に噛み込まれ粉砕される。しかし、被粉砕物は粉砕中であれば（粉砕後であっても）一定の大きさを有するため、図５に示すように、粉砕ローラ２２が被粉砕物（不図示）を土台として持ち上がりつつ、上部アーム３０及び下部アーム３２とともに回動する。このとき、粉砕ローラ２２の回動による粉砕ローラ２２の粉砕面２６の変位において、粉砕面２６の回転テーブル１４の中心側の変位量が、粉砕面２６の回転テーブル１４の外周側の変位量よりも大きくなる。
【００４７】
一方、図４に示すように、粉砕ローラ２２の初期位置において、粉砕ローラ２２の粉砕面２６が回転テーブル１４の中心側に向けて傾斜している。このため、粉砕ローラ２２の回動により粉砕ローラ２２の粉砕面２６の傾斜が緩和され、粉砕ローラ２２の粉砕面２６を水平にすることができる。このとき、回転テーブル１４と粉砕ローラ２２との間の隙間の高さ方向の幅を、回転テーブル１４の中心側から外周側に向かう方向において一定にすることができる。よって、粉砕ローラ２２の粉砕面２６全体で被粉砕物を粉砕することが可能となり、粉砕ローラ２２の外周面２４の特定箇所（外周面２４の回転テーブル１４の外周側）において被粉砕物の粉砕が集中することを低減して、粉砕ローラ２２に対する負担を軽減することができる。
【００４８】
粉砕ローラ２２の外周面２４の特定位置での被粉砕物の粉砕の集中を効果的に低減するため、図４に示すように、初期位置において、粉砕ローラ２２の粉砕面２６の回転テーブル１４の中心側への傾斜角度は３度から５度の範囲に設定することが好適である。
【００４９】
被粉砕物の粉砕時において（図５参照）、回転テーブル１４の上面１６と粉砕ローラ２２の粉砕面２６との間の隙間は２０ｍｍ〜３０ｍｍの範囲が好適である。また、粉砕ローラ２２の最大径が２０００ｍｍのとき、外周面２４で互いに隣り合う内側稜線部６６の回転テーブル１４の中心側の端部同士の間隔は１００ｍｍ程度が好適であり、外周面２４で互いに隣り合う稜線部６４の折れ曲がった部分同士の間隔は１５０ｍｍ程度が好適である。さらに、外周面２４に配置された稜線部６４の幅は１０ｍｍ程度、高さは５ｍｍ程度が好適である。
【００５０】
図５に示すように、被粉砕物の粉砕時においても回転軸２８が回転テーブル１４の中心側に傾斜するように配置されているが、回転軸２８の軸方向の延長線７４が、回転テーブル１４の上面１６の中心Ｏを通過しない。このため、粉砕ローラ２２の粉砕面２６において、回転テーブル１４と滑ることなく回転する領域は前述の直線７２（図２）上では一点のみである。したがって、回転テーブル１４と粉砕ローラ２２との間に挟まれた領域の殆どの部分で被粉砕物に対してせん断応力を印加することができ、被粉砕物をすりつぶすことができる。
本実施形態において、上述のせん断応力を高めるため、粉砕ローラ２２を円錐台形状としているが、円柱形状でもよい。
【産業上の利用可能性】
【００５１】
回転テーブル上に配置された粉砕ローラが、粉砕ローラよりも回転テーブルの外周側となる位置を支点として起伏する竪型粉砕機において、粉砕ローラの外周面で均一に被粉砕物を粉砕して、粉砕ローラに対する負担を軽減することができ、また、被粉砕物が粉砕途中で回転テーブルと粉砕ローラとの間からこぼれ出ることを低減して粉砕効率を高めることが可能な竪型粉砕機として利用できる。
【符号の説明】
【００５２】
１０………竪型粉砕機、１２………ケーシング、１４………回転テーブル、１６………上面、１８………電動機、２０………減速機、２２………粉砕ローラ、２４………外周面、２６………粉砕面、２８………回転軸、３０………上部アーム、３２………下部アーム、３４………ピン結合部、３６………油圧シリンダ、３８………セパレータ、４０………羽根、４２………原料投入口、４４………原料投入シュート、４６………ダムリング、４８………環状通路、５０………ガス導入口、５２………上部取出口、５４………下部取出口、５６………溝部、５８………線、６０………内側溝部、６２………外側溝部、６４………稜線部、６６………内側稜線部、６８………外側稜線部、７０………破線、７２………直線、７４………延長線。
【図１】
2014046268.tif 000003
【図２】
2014046268.tif 000004
【図３】
2014046268.tif 000005
【図４】
2014046268.tif 000006
【図５】
2014046268.tif 000007